【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
データ処理システムにおける方法であって、
データ項目の識別を受け取るステップと、
前記データ項目を複数の追跡モードの１つと関連付けるステップであって、前記複数の追跡モードが、論理モード、総計モード、および平均モードのうち少なくとも２つを含む、ステップと、
前記データ項目に対応する目標を受け取るステップと、
前記関連付けた１つの追跡モードに基づいて、前記目標に関して、前記データ項目の実績を判定するステップと、
を含む方法。
【請求項２】
請求項１記載の方法であって、更に、除外期間を受け取るステップを含み、前記データ項目の実績は、前記関連付けた１つの追跡モードおよび前記除外期間に基づいて、前記目標に関して判定する、方法。
【請求項３】
請求項２記載の方法において、前記除外期間は、カレンダーの日付に対応する、方法。
【請求項４】
請求項２記載の方法において、前記除外期間は、規則的に除外するカレンダーの日に対応する、方法。
【請求項５】
請求項１記載の方法において、前記１つの追跡モードは論理モードであり、前記データ項目の実績は、前記目標に関して、実績時間セグメントにおいて前記データ項目と関連付けられた肯定的論理入力の数を表す、方法。
【請求項６】
請求項１記載の方法において、前記１つの追跡モードは総計モードであり、前記データ項目の実績は、前記目標に関して、実績時間セグメントにおいて前記データ項目と関連付けられた複数のデータ入力の合計を表す、方法。
【請求項７】
請求項１記載の方法において、前記１つの追跡モードは平均モードであり、前記データ項目の実績は、前記目標に関して、実績時間セグメントにおいて前記データ項目と関連付けられた複数のデータ入力の平均を表す、方法。
【請求項８】
請求項１記載の方法において、目標を受け取る前記ステップは、複数の目標を受け取るステップを含み、該複数の目標は、日毎目標、週間目標、月間目標、四半期目標、および年間目標のうち少なくとも１つを含む、方法。
【請求項９】
請求項８記載の方法において、前記目標に関して前記データ項目の実績を判定する前記ステップは、
実績時間セグメントを受け取るステップと、
前記実績時間セグメントが前記複数の目標の１つに対応するか否か判定を行うステップと、
前記実績時間セグメントが前記複数の目標の前記１つに対応するという判定に応答して、前記関連付けられた１つの追跡モードに基づいて、前記目標に関して前記データ項目の実績を判定するステップと、
を含む、方法。
【請求項１０】
請求項１記載の方法であって、更に、
前記第１データ項目とは無関係な別のデータ項目の識別を受け取るステップと、
前記別のデータ項目を、前記複数の追跡モードの異なる１つと関連付けるステップと、
前記第１データ項目と関連付けられた複数のログ入力を既定期間表示して、前記複数の追跡モードの前記１つを表しつつ、前記第２データ項目と関連付けられている対応する複数のログ入力を表示して、前記複数の追跡モードの前記異なる１つを表すステップと、
を含む、方法。
【請求項１１】
請求項１記載の方法において、前記データ項目は、複数の追跡モードのうち１つを有する複数のデータ項目のうちの１つであり、更に、
ログを作成するステップと、
前記データ項目の前記複数の追跡モードのそれぞれに応じて、前記ログに各データ項目を格納するステップと、
を含む、方法。
【請求項１２】
データ処理システムにおける方法であって、
データ項目の識別を受け取るステップと、
前記データ項目を複数の追跡モードのうちの１つと関連付けるステップであって、前記複数の追跡モードが、論理モード、総計モード、および平均モードのうち少なくとも２つを含む、ステップと、
前記関連付けた１つの追跡モードに基づいて、前記データ項目の実績を判定するステップと、
を含む、方法。
【請求項１３】
請求項１２記載の方法において、前記１つの追跡モードは論理モードであり、前記データ項目の実績は、実績時間セグメントにおける前記データ項目と関連付けられた肯定的論理入力の数を表す、方法。
【請求項１４】
請求項１２記載の方法において、前記１つの追跡モードは総計モードであり、前記データ項目の実績は、実績時間セグメントにおいて前記データ項目と関連付けられた複数のデータ入力の合計を表す、方法。
【請求項１５】
請求項１２記載の方法において、前記１つの追跡モードは平均モードであり、前記データ項目の実績は、実績時間セグメントにおいて前記データ項目と関連付けられた複数のデータ入力の平均を表す、方法。
【請求項１６】
請求項１２記載の方法において、前記関連付けた１つの追跡モードに基づく前記データ項目の実績は、複数の実績時間セグメントの各々に対して判定し、前記複数の実績時間セグメントが既定期間に対応する、方法。
【請求項１７】
請求項１６記載の方法であって、更に、
除外期間を受け取るステップと、
前記実績時間セグメントを受け取るステップと、
前記除外期間と同時に、各実績時間セグメント毎に前記データ項目の実績を表示するステップと、
を含む、方法。
【請求項１８】
請求項１７記載の方法において、各実績時間セグメント毎の前記データ項目の実績は、前記関連付けた１つの追跡モードおよび前記除外期間について判定する、方法。
【請求項１９】
請求項１２記載の方法であって、更に、
ログ入力を受け取るステップと、
前記ログ入力が、前記データ項目と関連付けた前記１つの追跡モードに対応するか否か判定を行うステップと、
前記ログ入力が前記データ項目と関連付けた前記１つの追跡モードに対応すると判定した場合、前記ログ入力を前記データ項目と関連付けるステップと、
を含む、方法。
【請求項２０】
データ処理システムを制御してある方法を実行する命令を収容した機械読み取り可能媒体であって、前記方法が、
データ項目の識別を受け取るステップと、
前記データ項目を複数の追跡モードのうちの１つと関連付けるステップであって、前記複数の追跡モードが、論理モード、総計モード、および平均モードのうち少なくとも２つを含む、ステップと、
前記データ項目に対応する目標を受け取るステップと、
前記関連付けた１つの追跡モードに基づいて、前記目標に関して、前記データ項目の実績を判定するステップと、
を含む、機械読み取り可能媒体。
【請求項２１】
請求項２０記載の機械読み取り可能媒体において、前記方法は、更に、除外期間を受け取るステップを含み、前記データ項目の実績は、前記関連付けた１つの追跡モードおよび前記除外期間に基づいて、前記目標に関して判定する、機械読み取り可能媒体。
【請求項２２】
請求項２０記載の機械読み取り可能媒体において、前記１つの追跡モードは論理モードであり、前記データ項目の実績は、前記目標に関して、実績時間セグメントにおいて前記データ項目と関連付けられた肯定的論理入力の数を表す、機械読み取り可能媒体。
【請求項２３】
請求項２０記載の機械読み取り可能媒体において、前記１つの追跡モードは総計モードであり、前記データ項目の実績は、前記目標に関して、実績時間セグメントにおいて前記データ項目と関連付けられた複数のデータ入力の合計を表す、機械読み取り可能媒体。
【請求項２４】
請求項２０記載の機械読み取り可能媒体において、前記１つの追跡モードは平均モードであり、前記データ項目の実績は、前記目標に関して、実績時間セグメントにおいて前記データ項目と関連付けられた複数のデータ入力の平均を表す、機械読み取り可能媒体。
【請求項２５】
請求項２０記載の機械読み取り可能媒体において、目標を受け取る前記ステップは、複数の目標を受け取るステップを含み、該複数の目標は、日毎目標、週間目標、月間目標、および年間目標のうち少なくとも１つを含む、機械読み取り可能媒体。
【請求項２６】
請求項２５記載の機械読み取り可能媒体において、前記目標に関して前記データ項目の実績を判定する前記ステップは、
実績時間セグメントを受け取るステップと、
前記実績時間セグメントが前記複数の目標の１つに対応するか否か判定を行うステップと、
前記実績時間セグメントが前記複数の目標の１つに対応するという判定に応答して、前記関連付けられた１つの追跡モードに基づいて、前記目標に関して前記データ項目の実績を判定するステップと、
を含む、機械読み取り可能媒体。
【請求項２７】
請求項２０記載の機械読み取り可能媒体において、前記方法は、更に、
別のデータ項目の識別を受け取るステップと、
前記別のデータ項目を、前記複数の追跡モードの異なる１つと関連付けるステップと、
前記データ項目と関連付けられた複数のログ入力を既定期間表示して、前記複数のモードの前記１つを表し、更に前記別のデータ項目と関連付けられている対応する複数のログ入力を表示して、前記複数の追跡モードの前記異なる１つを表すステップと、
を含む、機械読み取り可能媒体。
【請求項２８】
データ処理システムを制御してある方法を実行する命令を収容した機械読み取り可能媒体であって、前記方法が、
データ項目の識別を受け取るステップと、
前記データ項目を複数の追跡モードのうちの１つと関連付けるステップであって、前記複数の追跡モードが、論理モード、総計モード、および平均モードのうち少なくとも２つを含む、ステップと、
前記関連付けた１つの追跡モードに基づいて、前記データ項目の実績を判定するステップと、
を含む、機械読み取り可能媒体。
【請求項２９】
請求項２８記載の機械読み取り可能媒体において、前記１つの追跡モードは論理モードであり、前記データ項目の実績は、実績時間セグメントにおける前記データ項目と関連付けられた肯定的論理入力の数を表す、機械読み取り可能媒体。
【請求項３０】
請求項２８記載の機械読み取り可能媒体において、前記１つの追跡モードは総計モードであり、前記データ項目の実績は、実績時間セグメントにおいて前記データ項目と関連付けられた複数のデータ入力の合計を表す、機械読み取り可能媒体。
【請求項３１】
請求項２８記載の機械読み取り可能媒体において、前記１つの追跡モードは平均モードであり、前記データ項目の実績は、実績時間セグメントにおいて前記データ項目と関連付けられた複数のデータ入力の平均を表す、機械読み取り可能媒体。
【請求項３２】
請求項２８記載の機械読み取り可能媒体において、前記関連付けた１つの追跡モードに基づく前記データ項目の実績は、複数の実績時間セグメントの各々に対して判定し、前記複数の実績時間セグメントが既定期間に対応する、機械読み取り可能媒体。
【請求項３３】
請求項２８記載の機械読み取り可能媒体において、前記方法は、更に、
除外期間を受け取るステップと、
前記実績時間セグメントを受け取るステップと、
前記除外期間と同時に、各実績時間セグメント毎に前記データ項目の実績を表示するステップと、
を含む、機械読み取り可能媒体。
【請求項３４】
請求項３３記載の機械読み取り可能媒体であって、各実績時間セグメント毎の前記データ項目の実績は、前記関連付けた１つの追跡モードおよび前記除外期間について判定する、機械読み取り可能媒体。
【請求項３５】
データ処理システムであって、
メモリ・デバイスであって、データ項目の識別を受け取り、前記データ項目を複数の追跡モードのうちの１つと関連付け、前記複数の追跡モードが、論理モード、総計モード、および平均モードのうち少なくとも２つを含み、前記データ項目に対応する目標を受け取り、前記関連付けた１つの追跡モードに基づいて、前記目標に関して、前記データ項目の実績を判定する、実績追跡プログラムを備えている、メモリ・デバイスと、
前記実績追跡プログラムを実行するプロセッサと、
を備えているデータ処理システム。
【請求項３６】
請求項３５記載のデータ処理システムにおいて、前記プログラムは、更に、除外期間を受け取り、前記関連付けた１つの追跡モードおよび前記除外期間に基づいて、前記データ項目の実績を前記目標に関して判定する、データ処理システム。
【請求項３７】
請求項３５記載のデータ処理システムにおいて、前記１つの追跡モードは論理モードであり、前記データ項目の実績は、前記目標に関して、実績時間セグメントにおいて前記データ項目と関連付けられた肯定的論理入力の数を表す、データ処理システム。
【請求項３８】
請求項３５記載のデータ処理システムにおいて、前記１つの追跡モードは総計モードであり、前記データ項目の実績は、前記目標に関して、実績時間セグメントにおいて前記データ項目と関連付けられた複数のデータ入力の合計を表す、データ処理システム。
【請求項３９】
請求項３５記載のデータ処理システムにおいて、前記１つの追跡モードは平均モードであり、前記データ項目の実績は、前記目標に関して、実績時間セグメントにおいて前記データ項目と関連付けられた複数のデータ入力の平均を表す、データ処理システム。
【請求項４０】
請求項３５記載のデータ処理システムにおいて、前記プログラムが目標を受け取るとき、前記プログラムは複数の目標を受け取り、該複数の目標は、日毎目標、週間目標、月間目標、および年間目標のうち少なくとも２つを含む、データ処理システム。
【請求項４１】
請求項４０記載のデータ処理システムにおいて、前記プログラムが前記目標に関して前記データ項目の実績を判定するとき、前記プログラムは、実績時間セグメントを受け取り、前記実績時間セグメントが前記複数の目標の１つに対応するか否か判定を行い、前記実績時間セグメントが前記複数の目標の前記１つに対応するという判定に応答して、前記関連付けられた１つの追跡モードに基づいて、前記目標に関して前記データ項目の実績を判定する、データ処理システム。
【請求項４２】
請求項４１記載のデータ処理システムであって、更に、
別のデータ項目の識別を受け取るステップと、
前記別のデータ項目を、前記複数の追跡モードの異なる１つと関連付けるステップと、
前記データ項目と関連付けられた複数のログ入力を既定期間表示して、前記複数の追跡モードの前記１つを表し、更に前記別のデータ項目と関連付けられている対応する複数のログ入力を表示して、前記複数の追跡モードの前記異なる１つを表すステップと、
を含む、データ処理システム。
【請求項４３】
データ処理システムであって、
データ項目の識別を受け取る手段と、
前記データ項目を複数の追跡モードの１つと関連付ける手段であって、前記複数の追跡モードが、論理モード、総計モード、および平均モードのうち少なくとも２つを含む、手段と、
前記関連付けた１つの追跡モードに基づいて、実績時間セグメントにおける前記データ項目の実績を判定する手段と、
を備えている、データ処理システム。
【請求項４４】
請求項４３記載の方法において、前記１つの追跡モードは論理モードであり、前記データ項目の実績は、前記実績時間セグメントにおいて前記データ項目と関連付けた肯定的論理入力の数を表す、方法。
【請求項４５】
請求項４３記載の方法において、前記１つの追跡モードは総計モードであり、前記データ項目の実績は、前記実績時間セグメントにおいて前記データ項目と関連付けた複数のデータ入力の合計を表す、方法。
【請求項４６】
請求項４３記載の方法において、前記１つの追跡モードは平均モードであり、前記データ項目の実績は、前記実績時間セグメントにおいて前記データ項目と関連付けた複数のデータ入力の平均を表す、方法。
【請求項４７】
請求項４３記載の方法であって、更に、目標を受け取る手段を備えており、前記データ項目の実績を判定する前記手段は、前記目標に関して、前記実績時間セグメントについての前記データ項目の実績を判定し表示する手段を含む、方法。